(57)【要約】【課題】組立が簡単で外装体と蓄電素子の間にがたつきのない組電池の提供。【解決手段】複数の蓄電素子１０１と、蓄電素子１０１を収容する、底壁１２９と側壁１２８とを有する外装体１０２と、側壁１２８の内方の壁面に設けられるガイド部材１０３と、複数の蓄電素子１０１を挟み込んで一体に拘束し、ガイド部材１０３と嵌合する溝部１４３を有する拘束部材１４１と、拘束部材１４１を架橋状に接続し複数の蓄電素子１０１を拘束する架橋部材１４２とを備える組電池１００。【選択図】図２
2014216189.tif 000002
【特許請求の範囲】
【請求項１】
複数の蓄電素子と、
複数の前記蓄電素子を収容する、底壁と側壁とを有する外装体と、
前記側壁の内方の壁面に設けられるガイド部材と、
複数の前記蓄電素子を挟み込んで一体に拘束し、前記ガイド部材と嵌合する溝部を有する拘束部材と、
前記拘束部材を架橋状に接続し複数の前記蓄電素子を拘束する架橋部材と
を備える組電池。
【請求項２】
前記ガイド部材は、前記底壁と略直交する方向に延び、
前記拘束部材は、被固定部を有し、
前記ガイド部材は、前記底壁側の端部において前記溝部と篏合し、前記底壁側とは反対側の端部において前記被固定部に固定される
請求項１に記載の組電池。
【請求項３】
さらに、
固定部材を備え、
前記ガイド部材は、前記底壁側とは反対側の端面に固定用穴を有し、
前記固定部材の少なくとも先端が、前記被固定部を貫通し前記固定用穴に挿入される
請求項１または２に記載の組電池。
【請求項４】
前記ガイド部材は、前記底壁に向かうに従い幅が徐々に広くなるテーパ形状となっている
請求項１〜３のいずれか１項に記載の組電池。
【請求項５】
前記拘束部材は、
前記蓄電素子と反対側に突出する下フランジを前記底壁側に、
前記蓄電素子と反対側に突出する上フランジを前記底壁側とは反対側に備え、
前記下フランジに前記溝部が設けられ、
前記上フランジに前記被固定部が設けられる
請求項２〜４のいずれか１項に記載の組電池。
【請求項６】
さらに、
前記溝部の前記ガイド部材と当接する部分に取り付けられる弾性部材を備える
請求項１〜５のいずれか１項に記載の組電池。
【請求項７】
複数の蓄電素子を並べて配置し、
拘束部材で複数の前記蓄電素子を挟み込み、
前記拘束部材を架橋部材で架橋状に接続して複数の前記蓄電素子を拘束し、
外装体の側壁の内面に設けられたガイド部材に前記拘束部材に設けられた溝部を嵌合させ、拘束状態の前記蓄電素子を前記外装体に収容する
組電池製造方法。
【発明の詳細な説明】
【技術分野】
【０００１】
本願発明は、外装体内に複数の蓄電素子が収容された組電池に関し、特に、拘束されて一体となった複数の蓄電素子が外装体内に収容される組電池に関する。
【背景技術】
【０００２】
従来、複数の蓄電素子（単電池）で構成される組電池が知られている。組電池は、例えば複数の蓄電素子をバスバー（配線板）により直列接続し、高い電圧を発生させることができるものである。特許文献１には、バスバーにより蓄電素子が電気的に接続される組電池が開示されている。
【０００３】
具体的には、溝と当該溝に嵌合する突起とを備えたキャップを蓄電素子のそれぞれにかぶせ、一の蓄電素子のキャップの突起を隣接する他の蓄電素子のキャップの溝に嵌合させることにより、蓄電素子間の位置ずれを防止している。また、溝と突起とが嵌合して組み付けられた蓄電素子を収容する外装体の内壁面にも対応する溝と突起とが設けられており、蓄電素子にかぶせられたキャップの溝や突起と外装体の溝や突起とを嵌合させることで、外装体と蓄電素子との位置ずれも防止している。
【先行技術文献】
【特許文献】
【０００４】
【特許文献１】特開２０１１−１３４５５４号公報
【発明の概要】
【発明が解決しようとする課題】
【０００５】
ところが、特許文献１に記載の組電池は、隣接する蓄電素子の突起と溝とを嵌合させなければならず、組み合わされる蓄電素子の数だけ突起と溝との隙間（あそび）が積算されることとなり、組み付けられた蓄電素子全体としてはがたがたの状態となる。また、このような組み付けられた蓄電素子を外装体の溝や突起と嵌合させたとしても、外装体に対する各蓄電素子の位置関係は定まらないと考えられる。
【０００６】
本願発明は、上記課題に鑑みなされたものであり、複数の蓄電素子とこれら蓄電素子を収容する外装体との位置関係を安定させることができ、かつ、簡単に組み立てることができる組電池、および、組電池製造方法の提供を目的とする。
【課題を解決するための手段】
【０００７】
上記目的を達成するために、本願発明にかかる組電池は、複数の蓄電素子と、複数の前記蓄電素子を収容する、底壁と側壁とを有する外装体と、前記側壁の内方の壁面に設けられるガイド部材と、複数の前記蓄電素子を挟み込んで一体に拘束し、前記ガイド部材と嵌合する溝部を有する拘束部材と、前記拘束部材を架橋状に接続し複数の前記蓄電素子を拘束する架橋部材とを備えることを特徴とする。
【０００８】
これによれば、拘束部材、および、架橋部材により一体となされた複数の蓄電素子（以下、「蓄電素子組立体」と記す場合がある）が、外装体に設けられたガイド部材と拘束部材に設けられた溝部とが嵌合した状態で外装体内に収容される。従って、外装体に対する各蓄電素子の水平方向（外装体の側壁に直交する方向）の位置関係が安定する。従って、外部からの振動や衝撃に対して高い安定性を確保することが可能となる。
【０００９】
前記ガイド部材は、前記底壁と略直交する方向に延び、前記拘束部材は、被固定部を有し、前記ガイド部材は、前記底壁側の端部において前記溝部と篏合し、前記底壁側とは反対側の端部において前記被固定部に固定されてもよい。
【００１０】
これによれば、蓄電素子組立体を底壁側の端部とは反対側の端部においても外装体に固定することで、各蓄電素子の水平方向の位置関係がいっそう安定する。
【００１１】
組電池はさらに、固定部材を備え、前記ガイド部材は、前記底壁側とは反対側の端面に固定用穴を有し、前記固定部材の少なくとも先端が、前記被固定部を貫通し前記固定用穴に挿入されてもよい。
【００１２】
これによれば、外装体に対する各蓄電素子の鉛直方向（水平方向に直交する方向）の位置関係が安定する。また、ガイド部材の、底壁側とは反対側の端面に固定用穴を設けたことで、蓄電素子組立体を外装体に挿入した後、外装体の開口から固定部材の先端を被固定部および固定用穴に挿入することができる。したがって、組電池の組立工程が簡素化される。蓄電素子組立体を外装体の底壁側で外装体に固定する場合、蓄電素子組立体を外装体に挿入した後、蓄電素子組立体の挿入方向とは反対向きの方向に向かって固定部材を外装体の底壁に貫通させる必要がある。或いは、蓄電素子組立体を外装体に挿入した後、外装体を上下逆にして、固定部材を外装体の底壁に貫通させる必要がある。したがって、蓄電素子組立体を外装体の底壁側で外装体に固定する場合、組電池の組立工程が煩雑である。ガイド部材の、底壁側とは反対側の端面に固定用穴を設けることにより、蓄電素子組立体の挿入方向と固定部材の挿入方向とが同じになる。したがって、組電池の組立工程が簡素化される。
【００１３】
また、前記ガイド部材は、下方に向かうに従い幅が徐々に広くなるテーパ形状となっていてもよい。
【００１４】
これによれば、蓄電素子組立体を外装体に容易に挿入することができ、外装体に対する蓄電素子組立体の位置合わせを容易に行うことができる。また、蓄電素子組立体を外装体に収容させた状態においては、ガイド部材の下部と溝部とが隙間無く、または、僅かな隙間で嵌合するため、正確に位置合わせを行うことができ、また、蓄電素子組立体が外装体に対し水平方向に安定して配置される。従って、特に水平方向の振動や衝撃に対して高い安定性を有する組電池とすることができる。
【００１５】
また、前記拘束部材は、前記蓄電素子と反対側に突出する下フランジを前記底壁側に、前記蓄電素子と反対側に突出する上フランジを前記底壁側とは反対側に備え、前記下フランジに前記溝部が設けられ、前記上フランジに前記被固定部が設けられるものでもよい。
【００１６】
これによれば、上下に設けられたフランジにより拘束部材の機械的強度を確保しつつ軽量化を図ることが可能となる。また、溝部および被固定部を拘束部材に容易に形成することができる。
【００１７】
さらに、前記溝部の前記ガイド部材と当接する部分に取り付けられる弾性部材を備えてもよい。
【００１８】
これによれば、ガイド部材の寸法精度が高くない場合でも弾性部材が寸法の誤差を吸収することができる。また、外装体に加えられた振動や衝撃が弾性部材を介して蓄電素子組立体に伝わるため、弾性部材が振動や衝撃を緩和することが可能となる。
【００１９】
また、上記目的を達成するために、本願発明にかかる組電池製造方法は、複数の蓄電素子を並べて配置し、拘束部材で複数の前記蓄電素子を挟み込み、前記拘束部材を架橋部材で架橋状に接続して複数の前記蓄電素子を拘束し、外装体の側壁の内面に設けられたガイド部材に前記拘束部材に設けられた溝部を嵌合させ、拘束状態の前記蓄電素子を前記外装体に収容することを特徴とする。
【００２０】
これによれば、蓄電素子組立体が、外装体に設けられたガイド部材と拘束部材に設けられた溝部とが嵌合した状態で外装体内に収容される。従って、外装体に対する各蓄電素子の水平方向の位置関係が安定する。従って、組電池の組立工程が簡素化される。
【発明の効果】
【００２１】
本願発明によれば、複数の蓄電素子と外装体との位置関係が安定し、組立が容易な組電池を提供することが可能となる。
【図面の簡単な説明】
【００２２】
【図１】図１は、組電池を模式的に示す斜視図である。
【図２】図２は、組電池の組立状態を外装体の一部を省略して模式的に示す斜視図である。
【図３】図３は、組み立てた状態の組電池を外装体の一部を省略して模式的に示す斜視図である。
【図４】図４は、別態様の組電池の組立状態を外装体の一部を省略して模式的に示す斜視図である。
【図５】図５は、弾性部材が取り付けられた溝部を示す斜視図である。
【発明を実施するための形態】
【００２３】
次に、本願発明に係る組電池、および、組電池製造方法の実施の形態について、図面を参照しつつ説明する。なお、以下の実施の形態は、本願発明に係る組電池、および、組電池製造方法の一例を示したものに過ぎない。従って本願発明は、以下の実施の形態を参考に請求の範囲の文言によって範囲が画定されるものであり、以下の実施の形態のみに限定されるものではない。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００２４】
図１は、組電池を模式的に示す斜視図である。
【００２５】
図２は、組電池の組立状態を外装体の一部を省略して模式的に示す斜視図である。
【００２６】
図３は、組み立てた状態の組電池を外装体の一部を省略して模式的に示す斜視図である。
【００２７】
これらの図に示すように、組電池１００は、層状に並んで配置される複数の蓄電素子１０１と、蓄電素子１０１を収容する容器状の外装体１０２と、ガイド部材１０３と、拘束部材１４１と架橋部材１４２とを備えている。
【００２８】
蓄電素子１０１は、充電することができ、また、放電することのできる素子であり、筐体１１１と、電極端子１１２と、安全弁１１４とを備えている。
【００２９】
筐体１１１は、発電要素（電極体）や電解液などを密封状態で収容する部材であり、蓄電素子１０１の機械的強度を担う部材である。
【００３０】
電極端子１１２は、筐体１１１の一面に配置される部材であり、筐体１１１の外方と内方との間で電気を導通する部材である。本実施の形態の場合、蓄電素子１０１は同方向に向かって突出する正極、および、負極にそれぞれ対応する二つの電極端子１１２を備えている。
【００３１】
蓄電素子１０１は、筐体１１１の長側面同士が対向するように図中Ｘ軸方向に並んで配置されており、隣り合う蓄電素子１０１の一方の蓄電素子１０１の正極の電極端子１１２と他方の蓄電素子１０１の負極の電極端子１１２とが隣り合うように配置されている。また、蓄電素子１０１は、隣り合う正極の電極端子１１２と負極の電極端子１１２とがバスバー１１３に接続されて電気的に直列接続されている。蓄電素子１０１のいくつかは、並列接続されてもよい。
【００３２】
蓄電素子１０１に挟まれる位置に、絶縁性を有する板状の緩衝部材を配置してもかまわない。
【００３３】
外装体１０２は、底壁１２９と、側壁１２８とを備え、蓄電素子１０１と、拘束部材１４１と、架橋部材１４２とを収容する箱状の部材である。本実施の形態の場合、外装体１０２の側壁１２８の内方の壁面にはガイド部材１０３が一体に設けられている。外装体１０２は、蓄電素子１０１を所定の位置に配置し、蓄電素子１０１を衝撃などから保護し、蓄電素子１０１が不本意に金属部材などに接触することを回避する。組電池１００は、外装体１０２の開口部を閉塞する蓋体１２２を備えている。外装体１０２、および、蓋体１２２は、絶縁性の材料、例えば樹脂などにより構成されている。
【００３４】
ガイド部材１０３は、外装体１０２の側壁１２８内方の壁面に設けられている。本実施の形態の場合、ガイド部材１０３は、底壁１２９と略直交する方向に延びて配置されるレール状の部材である。本実施の形態の場合、ガイド部材１０３は、外装体１０２と一体に成形されている。また、ガイド部材１０３は、底壁１２９に向かうに従い幅が徐々に広くなるテーパ形状となっている。ガイド部材１０３は、外装体１０２の対向する両側壁１２８の内方の壁面（図中ＹＺ平面に配置される壁面）にＹ軸方向に並んで複数本（本実施の形態の場合２本）ずつＸ軸方向に突出状態で設けられている。ガイド部材１０３を対向する側壁１２８の内方の壁面に設けることで、蓄電素子組立体１０４（図２参照）を外装体１０２に安定した状態で挿入することができる。特に、一つの側壁１２８の内方の壁面に複数のガイド部材１０３を設けることで、蓄電素子組立体１０４を外装体１０２により安定した状態で挿入することができる。
【００３５】
拘束部材１４１は、蓄電素子１０１の並び方向（図中Ｘ軸方向）の両端部に配置され複数の蓄電素子１０１を挟み込んで一体に拘束する部材であり、溝部１４３が設けられている。
【００３６】
本実施の形態の場合、拘束部材１４１は板状の部材であり、拘束部材１４１の底壁１２９側には、拘束する蓄電素子１０１と反対側（Ｘ軸方向における蓄電素子側とは反対側）に突出する下フランジ１４４が一体に設けられ、拘束部材１４１の底壁１２９と反対側には、蓄電素子１０１と反対側（下フランジ１４４と同じ方向）に突出する上フランジ１４５が一体に設けられている。拘束部材１４１に下フランジ１４４や、上フランジ１４５を設けることで、拘束部材１４１の重量増加を抑制しつつ機械的強度を向上させることが可能となる。具体的には、拘束部材１４１は、金属製の板材を屈曲加工することにより下フランジ１４４、および、上フランジ１４５と共に成形されている。拘束部材１４１は、金属製の板材を絞り加工することにより、下フランジ１４４、上フランジ１４５、および、上下のフランジをつなぐ横フランジ（図示せず）を備えてもよい。
【００３７】
なお、拘束部材１４１を構成する材料は金属ばかりでなく、樹脂などでもかまわない。拘束部材１４１の形成方法も、屈曲加工や絞り加工に限定されるものではなく、任意の加工方法を採用することができる。
【００３８】
溝部１４３は、ガイド部材１０３と嵌合する部分である。溝部１４３は、ガイド部材１０３と摺動可能に嵌合する形状であり、Ｚ軸方向の下端部が開口状態となっている。溝部１４３は、拘束部材１４１に設けられて鉛直方向（図中Ｚ軸方向）に延在する溝状の部分であってもよい。
【００３９】
本実施の形態の場合、溝部１４３は、板状の下フランジ１４４に設けられており、Ｚ軸方向の下端部ばかりでなく、上端部も開口状態となっている。なお、溝部１４３が設けられる下フランジ１４４の厚みが薄いため、溝部１４３の上下方向の長さが僅かであるが、当該部分も溝部１４３である。
【００４０】
また、溝部１４３の幅（図中Ｙ軸方向の間隔）は、ガイド部材１０３の下端部の幅（図中Ｙ軸方向の長さ）と一致、または、ほぼ一致している。これにより、ガイド部材１０３に溝部１４３を篏合させながら、蓄電素子組立体１０４を外装体１０２に挿入することでガイド部材１０３の下端部と溝部１４３とがきっちりと嵌まり合い、外装体１０２内方における蓄電素子組立体１０４の位置を安定させることが可能となる。
【００４１】
架橋部材１４２は、Ｘ軸方向に並べられた蓄電素子１０１の両端部の外方に配置される拘束部材１４１を架橋状に接続し複数の蓄電素子１０１を一体に拘束する拘束力を発生させる部材である。本実施の形態の場合、架橋部材１４２は、Ｙ軸方向における蓄電素子１０１の両側方に配置され、Ｘ軸方向に延在する棒状の部材であり、拘束部材１４１の四隅にそれぞれ配置されている。架橋部材１４２の長さは、Ｘ軸方向に並べられた蓄電素子１０１などの全体の長さよりも僅かに短く設定されており、架橋部材１４２の端部と拘束部材１４１とをネジなどで締結することにより複数の蓄電素子１０１を拘束する拘束力を発生させている。
【００４２】
本実施の形態の場合、組電池１００は、固定部材１５２を備えており、ガイド部材１０３は、底壁１２９側とは反対側の端面に固定用穴１５１を有している。本実施の形態の場合、固定用穴１５１は、ガイド部材１０３の上端面に開口するネジ穴であり、固定部材１５２が固定用穴１５１に螺着可能となっている。また、上側フランジ１４４には、固定部材１５２が刺し通される被固定部１５３が設けられている。固定用穴１５１は、ガイド部材１０３が樹脂など軟質な部材である場合、硬質のナットの穴（ガイド部材１０３に埋め込んだいわゆるインサートナット等の穴）であってもよい。
【００４３】
なお、固定部材１５２は、螺着することにより拘束部材１４１とガイド部材１０３とを固定するものばかりでなく、かしめにより拘束部材１４１とガイド部材１０３とを固定するリベットなどでもよい。また、被固定部１５３は、一部が切り欠かれた溝状のものであってもよい。
【００４４】
なお本実施の形態では、組電池１００は、蓋体１２２と外部電極１６１とを備えている。
【００４５】
外部電極１６１は、電極端子１１２と電気的に接続され蓋体１２２に配置される導電性の部材であり、蓄電素子１０１に対し充電し、また、蓄電素子１０１から電力を供給するために外部の機器と組電池１００とを電気的に接続するための部材である。
【００４６】
次に、組電池の製造方法を説明する。
【００４７】
矩形の蓄電素子１０１の長側面が対向するように蓄電素子１０１の厚さ方向に複数の蓄電素子１０１を層状に並べて配置する（配置工程）。ここで、絶縁、および、緩衝のための樹脂製板状の緩衝部材を隣接する蓄電素子１０１の間に挟み込んでもよい。
【００４８】
次に、拘束部材１４１を蓄電素子１０１の並び方向の両端部に配置して蓄電素子１０１全体を挟み込み、拘束部材１４１を架橋部材１４２で架橋状に接続して二つの拘束部材１４１の間隔を若干短くして蓄電素子１０１全体を拘束する（拘束工程）。以上により、蓄電素子組立体１０４が形成される（図２参照）。拘束工程の前後に、蓄電素子１０１同士をバスバー１１３で接続したり、リレーやシャント抵抗、制御基板などの電気機器を蓄電素子１０１に接続したりしてもかまわない。外装体１０２に収容される前にこれらの接続を行うことで、バスバー１１３等の取り付けを容易に行うことができる。
【００４９】
次に、容器状の外装体１０２の内方の壁面に設けられた上下方向に延びて配置されるレール状のガイド部材１０３の上端部に、拘束部材１４１に設けられた溝部１４３の開口端部を合わせる（位置合わせ工程）。本実施の形態の場合、ガイド部材１０３は、外装体１０２の対向する二つの側壁１２８の内方の壁面にそれぞれ設けられており、蓄電素子１０１の両端部外方に取り付けられた二つの拘束部材１４１の外方に突出した下フランジ１４４にそれぞれ設けられた溝部１４３とガイド部材１０３の上端部とを嵌合状態で合わせる。このようにすることで、外装体１０２と蓄電素子組立体１０４との水平方向の位置関係が安定し、蓄電素子組立体１０４を外装体１０２に挿入しやすくなる。さらに、ガイド部材１０３は、上端部から下方に向かって拡径するテーパ形状となっており、ガイド部材１０３の上端部の形状は溝部１４３の開口端部の形状よりも小さく設定されている。このため、ガイド部材１０３の上端部と溝部１４３の開口端部との位置合わせを容易に行うことができる。
【００５０】
次に、それぞれのガイド部材１０３と溝部１４３とが嵌合した状態でガイド部材１０３に対して溝部１４３を摺動させながら、蓄電素子組立体１０４を外装体１０２の内方に挿入して収容する（収容工程）。蓄電素子組立体１０４を外装体１０２に完璧に挿入すると、ガイド部材１０３の下端部と溝部１４３とが幅方向（図中Ｙ軸方向）において隙間なく篏合し、外装体１０２に対する蓄電素子組立体１０４のＹ軸方向のがたつきを抑制することができる。また、対向する二つの外装体１０２の側壁１２８の内方の壁面にそれぞれ設けられたガイド部材１０３のＸ軸方向の間隔と、蓄電素子組立体１０４の両端部に配置される溝部１４３のＸ軸方向の間隔とを同一、または、ほぼ同一とすることで、外装体１０２に対する蓄電素子組立体１０４のＸ軸方向のがたつきも抑制することができる。
【００５１】
次に、拘束部材１４１の上端部とガイド部材１０３の上端部とをガイド部材１０３の下端部と溝部１４３とが嵌合する位置から上方向に延びる軸（図中Ｚ軸）上で固定部材１５２を用いて固定的に接続する（固定工程）。本実施の形態の場合、蓄電素子組立体１０４を外装体１０２に収容した状態で、ガイド部材１０３の上面に設けられた固定用穴１５１と拘束部材１４１の上端部の上フランジ１４５に設けられた被固定部１５３とが重なっており、被固定部１５３に刺し通された固定部材１５２を固定用穴１５１に螺着することにより、拘束部材１４１とガイド部材１０３とが蓄電素子組立体１０４の上端部において固着され、蓄電素子組立体１０４が外装体１０２の内方に収容状態で固定される。
【００５２】
最後に、外装体１０２に蓋体１２２を取り付けて、組電池１００の製造が終了する。
【００５３】
以上のように組電池１００を製造することにより、上部が開口した容器状の外装体１０２に事前に組み立てた蓄電素子組立体１０４を挿入するだけで、水平方向における外装体１０２に対する蓄電素子組立体１０４の位置が安定する。さらに、固定部材１５２により拘束部材１４１とガイド部材１０３とを固定することで、蓄電素子組立体１０４と外装体１０２とが固定され、鉛直方向における外装体１０２に対する蓄電素子組立体１０４の位置が安定する。これにより、振動や衝撃に強い組電池１００を提供することができる。
【００５４】
また、組立に際しても、予め蓄電素子組立体１０４を組み立てておくことができるため、蓄電素子１０１同士の接続などを外装体１０２の外方で容易に行うことができる。また、固定部材１５２による外装体１０２への蓄電素子組立体１０４の固定も、蓄電素子組立体１０４を挿入した方向で行うことができるため、容易になる。
【００５５】
なお、本願発明は、上記実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、請求の範囲に記載される文言が示す意味を逸脱しない範囲で当業者が思いつく各種変形を施して得られる変形例も本願発明に含まれる。
【００５６】
例えば、図４に示すように、複数のガイド部材１０３の位置や大きさや形状を相互に異なるものとしたり、外装体１０２の対向する側壁１２８の内方の壁面に設ける数を異なる数としてもかまわない。これにより、外装体１０２に蓄電素子組立体１０４を挿入する向きをガイド部材１０３で教示することができる。間違った向きで挿入しようとした場合に、物理的に挿入が不可能なガイド部材１０３の位置や大きさや形状や数とすることで、不良品の発生を防止することが可能となる。
【００５７】
また、拘束部材１４１を厚みのある板状部材とし、上下方向に延び下端部が開放状態の溝部１４３を設けてもかまわない。この場合、溝部１４３の上端部を閉塞状態とし、当該閉塞部分を固定部材１５２を用いてガイド部材１０３の上端部と固定してもよい。
【００５８】
また、図５に示すように、溝部１４３のガイド部材１４４と当接する部分に取り付けられる弾性部材１４６を備えてもかまわない。この弾性部材１４６により、ガイド部材１０３や溝部１４３の寸法の誤差を吸収することができる。また、弾性部材１４６によい振動や衝撃を緩和することが可能となる。
【産業上の利用可能性】
【００５９】
本願発明は、例えば人や物を輸送する輸送用機器に搭載される電力供給用の組電池などとして利用可能である。
【符号の説明】
【００６０】
１００  組電池
１０１  蓄電素子
１０２  外装体
１０３  ガイド部材
１０４  蓄電素子組立体
１１１  筐体
１１２  電極端子
１１３  バスバー
１１４  安全弁
１２２  蓋体
１４１  拘束部材
１４２  架橋部材
１４３  溝部
１４４  下フランジ
１４５  上フランジ
１５１  固定用穴
１５２  固定部材
１５３  被固定部
１６１  外部電極
【図１】
2014216189.tif 000003
【図２】
2014216189.tif 000004
【図３】
2014216189.tif 000005
【図４】
2014216189.tif 000006
【図５】
2014216189.tif 000007